(57)【要約】【課題】うっかり忘れを防ぐため、冷蔵庫等の金属製板部に簡単に取り付け可能な便利な透明ボックスを提供する。【解決手段】強力磁石２を切り込み口３から入れて内蔵した透明ボックス１を、金属製の板に留め、その中にさまざまな物を入れられるようにする。【効果】全体が透けて見えるので一目瞭然「忘れる」ことを防ぐことが出来る。磁石なので金属板の所であれば、どこでも自由に留めることができるし、取り外すことも簡単である。又、磁石を内蔵しているので長年使用しても、構造的に箱と磁石がはがれてしまう事が無い上、磁石の数の増減が簡単にできるので、磁石を追加して強度を上げることも容易である。又、素材がビニールなので厚みのある収納物にも柔軟に対応できる。【選択図】　図１
2004059086.tif 000002
【特許請求の範囲】
【請求項１】
透明なビニール素材等で作った箱の一部に強力磁石を内臓することにより、箱を金属製の板に留め、その中にさまざまな物を入れられる様にした多目的使用の便利な透明ボックス。
【発明の詳細な説明】
【０００１】
本発明は、ビニール素材で作った透明な箱の上部折り曲げ部分の空間に強力磁石を内蔵することにより、箱を玄関のドア内側、冷蔵庫の外側、事務机の側面、ホワイトボード、事務所の間仕切り等、金属性の板に留めて使用する。外出時に携帯することを忘れてはならない物、連絡メモ、料理のレシピー、筆記用具やマーカー、「ご自由にお取りください」等のお知らせ、等々、中身が一目瞭然である方が良いものを入れる、多目的使用可能な透明ボックスである。
【０００２】
磁石を使ってメモ、紙、等を金属板に留める器具は、大小、形、仕掛けもさまざまなものが市販されているが、箱そのものに強力磁石を内臓していて、厚みのある物を入れられる透明な箱は見当たらない。
【０００３】
ビニール素材で作られたポケット状の袋の裏面に、直接ゴム磁石等を接着して一体化し、それを金属面に留めて使用するものはあるが、厚みのある物を収納する目的で作られてはいない。又、長く使っていると、袋と磁石の接着がはずれてしまう可能性がある。
【０００４】
本発明はビニール素材をハサミで切り抜いた１枚のシートを曲げて数箇所を留め、その中に磁石を入れるだけで丈夫に出来上がるのでシンプルであり非常に安価に作れる。その上、ビニールボックス自体で磁石を包む構造になっているので、長年使用しても箱と磁石がはがれてしまうことが全く無い。
【０００５】
このように中身が一目瞭然で、多目的使用可能な透明ボックスが、家庭や職場等にあることによって、「うっかり忘れ」を防ぐことが出来るし、便利な連絡箱にもなる。厚みのある物を収納できるので、冷蔵庫の外側に留めて、新聞や雑誌から切り抜いた料理のレシピーを入れたり、メモやメモ帳、筆記用具を入れてもよい。又、ホワイトボードに留めてマーカー入れにすると、縦にコンパクトに収納できるので場所を取らないし、使用後には、箱ごとはずして、別の所へ保管することも簡単に出来る。更に、磁石の数を簡単に増減できるので、磁石を追加して強度を上げたり、好みの色や形の磁石に変えて楽しむことも容易にできる。
【図面の簡単な説明】
【図１】磁石内蔵透明ボックスの正面図である。
【図２】磁石内蔵透明ボックスの背面図である。
【図３】磁石内蔵透明ボックスの底面図である。
【図４】磁石内蔵透明ボックスの右側面図である。
【図５】磁石内蔵透明ボックスの左側面図である。
【図６】磁石内蔵透明ボックスの参考図である。
【符号の説明】
１．透明ボックスの本体
２．強力磁石
３．磁石を入れる切込口
【図１】
2004059086.tif 000003
【図２】
2004059086.tif 000004
【図３】
2004059086.tif 000005
【図４】
2004059086.tif 000006
【図５】
2004059086.tif 000007
【図６】
2004059086.tif 000008
【手続補正書】
【提出日】平成14年10月22日(2002.10.22)
【手続補正１】
【補正対象書類名】明細書
【補正対象項目名】全文
【補正方法】変更
【補正の内容】
【発明の詳細な説明】
【特許請求の範囲】
【請求項１】透明なビニール素材等で作った箱の一部に強力磁石を内蔵することにより、箱をスチール製の板に留め、その中にさまざまな物を入れられる様にした多目的使用の透明ボックス。
【発明の詳細な説明】
【０００１】
【発明が属する技術分野】
透明なビニール素材で作った箱の一部に強力磁石を内蔵する事により箱をスチール製の板に留めて立体物を入れられる様にした日用雑貨及び事務用品である。
【０００２】
【従来の技術】
従来、磁石付きの収納箱で厚みのある物を入れられる商品も数種類市販されているが、本体がプラスチックや金属や木でできており、裏面数箇所に磁石をはめ込んでいるか、裏全体がゴム磁石になっている。一方、ビニール素材で作られたポケット状の袋の裏面に、直接、磁石を接着して一体化し、それをスチール製の板に留めて使用するものも出願されている。
【０００３】
【発明が解決しょうとする課題】
本体がプラスチックや金属や木で作られた箱は、物の収納を目的としたものであり「忘れない」事を第一目的としていない為、本体が不透明で中身が見えにくい上に硬い素材である為中身に柔軟に適応しない。一方、ビニール素材で作られたポケット状の袋は、中身は見えるが厚みのある物を収納する目的で作られてはいない。又、長く使っていると、袋と磁石の接着がはずれてしまう可能性もある。
【０００４】
【課題を解決するための手段】
（イ）本発明は、磁石以外がすべて透明なので中に入れている物の視覚へのインパクトが非常に強く、「忘れる」ことを防ぐことができる。
（ロ）本発明は、本体がビニール素材で作られているので柔軟性があり軽い。その為、中に入れる物の形や数に柔軟に適応できるし、スチール面が多少カーブしている物にも留めることが可能である。又、箱自体を取り外して持ち運ぶ場合も軽くてコンパクトである。更に、スチール面との接触が必要な所は磁石部分だけなので、スチール面が本体より狭くても留めることが可能である。
（ハ）本発明は、磁石の出し入れが自由にできるので、強度を上げるために磁石を追加したり、好みの色や形に変えたり、磁石にペイントをすることも自由にできる。勿論、磁石だけを取り出して使うことも自由である。
（ニ）本発明は、本体で磁石を包み込む構造になっているので、長く使用しても、頻繁に留めたり外したりしても本体と磁石がはがれてしまうことがない。
（ホ）更に、ビニール素材を切り抜いた一枚のシートを折り曲げて組み立てているので、シンプルで丈夫であり、安価に作れる。
【０００５】
【実施例】
本発明は、ビニール素材で作った透明な箱（１）の上部折り曲げ部分の空間に強力磁石（２）を内蔵することにより、箱を冷蔵庫の外側、玄関のドア内側、事務所の間仕切り、事務机の側面、ロッカー、ホワイトボード、洗面台、ポット、その他スチール製の板に留めて使用する。
【０００６】
【発明の効果】
このように中身が一目瞭然で、多目的使用可能な透明ボックスが、家庭や職場等にあることによって、「うっかり忘れ」を防ぐことが出来るし、便利な連絡箱にもなる。厚みのある物を収納できるので、冷蔵庫の外側に留めて、新聞や雑誌から切り抜いた料理のレシピや領収書を暫らく保存しておいたり、メモ、連絡メモ、メモ帳、筆記具、等を入れてもよい。又、ギャラリー等の壁や間仕切りに留めて「ご自由にお取りください」等の小サイズのお知らせ入れにしても洒落ている。
【０００７】
又、ホワイトボードに留めてマーカー入れにすると、縦にコンパクトに収納できるので場所を取らないし、マーカーがボードの溝から落ちてイライラすることもなくなる。さらに、学習教室などで使う場合、使用後は箱ごとはずして別の所へ保管することも出来るし、持ち運ぶ場合も軽くてコンパクトである。
又、玄関のドア内側に留めて、外出時に持って行く事を忘れてはいけない小郵便物等を入れたり、ポプリや香り袋を入れておくと玄関のアクセサリーにもなる。更に、スチール面が多少カーブしていても留めることが可能なので、ポットの側面に留めて老眼鏡などのメガネ類を入れておくと必要な時にすぐ取り出せる。
又、磁石の出し入れが自由に出来るので、磁石を追加して強度を上げたり、好みの色や形の磁石に変えたり、磁石にペイントして楽しむことも自由にできる。勿論、磁石だけを取り出して使用することも出来る。
【図面の簡単な説明】
【図１】磁石内蔵透明ボックスの正面図である。
【図２】磁石内蔵透明ボックスの背面図である。
【図３】磁石内蔵透明ボックスの底面図である。
【図４】磁石内蔵透明ボックスの左側断面図である。
【図５】磁石内蔵透明ボックスの右側断面図である。
【図６】磁石内蔵透明ボックスの参考図である。
【符号の説明】
１．透明ボックスの本体
２．強力磁石
３．磁石を入れる切込口
【手続補正２】
【補正対象書類名】図面
【補正対象項目名】全図
【補正方法】変更
【補正の内容】
【図１】
2004059086.tif 000009
【図２】
2004059086.tif 000010
【図３】
2004059086.tif 000011
【図４】
2004059086.tif 000012
【図５】
2004059086.tif 000013
【図６】
2004059086.tif 000014